(57)【要約】【課題】  充電中に車両から離れているユーザに対して、充電完了時に車両に戻ってこられるような適切なタイミングで充電が完了する旨の通知を行う。【解決手段】  情報提供ＥＣＵは、自車両位置とユーザ位置とに基づいて、ユーザが車両に戻ってくるのに要する必要移動時間Ｔａを計算するとともに（Ｓ１１〜Ｓ１３）、充電ＥＣＵから必要残充電時間Ｔｂを取得する（Ｓ１４）。そして、情報提供ＥＣＵは、必要残充電時間Ｔｂが必要移動時間Ｔａ以下となった場合（Ｓ１５：Ｙｅｓ）、ユーザの携帯端末に、ユーザを車両に引き返すための帰車メッセージ通知指令を送信する（Ｓ１６）。これにより、ユーザは、バッテリ充電完了時に車両に戻ることができる。【選択図】  図３
2013186519.tif 000002
【特許請求の範囲】
【請求項１】
電動車両に搭載された車載バッテリを外部電源により充電しているときに、前記電動車両から離れている車両ユーザに対して、前記車載バッテリの充電に関連した情報を提供するための情報提供装置において、
前記車載バッテリの充電中に、前記車載バッテリの充電が完了するまでに必要となる必要残充電時間を取得する必要残充電時間取得手段と、
前記車載バッテリを充電しているときの前記電動車両の位置を取得する車両位置取得手段と、
前記車載バッテリを充電しているときの前記車両ユーザの位置を取得するユーザ位置取得手段と、
前記必要残充電時間と前記電動車両の位置と前記車両ユーザの位置とに基づいた、前記車両ユーザが前記車載バッテリの充電が完了するときに前記電動車両の位置に戻れるようにするタイミングを表すタイミング情報、あるいは、前記タイミングをユーザが判断するための判断支援情報を前記車両ユーザに提供する情報提供手段と
を備えたことを特徴とする情報提供装置。
【請求項２】
前記情報提供手段は、
前記電動車両の位置と、前記車両ユーザの位置とに基づいて、前記電動車両から離れている車両ユーザが前記電動車両の位置に戻ってくるまでに必要となる必要移動時間を取得する必要移動時間取得手段と、
前記必要残充電時間と前記必要移動時間との関係に基づいて通知タイミングを設定し、前記設定した通知タイミングにて、前記車両ユーザに対して前記電動車両の位置に戻るよう促す通知を行う通知手段と
を備えたことを特徴とする請求項１記載の情報提供装置。
【請求項３】
前記車載バッテリの充電完了から充電解除操作が行われるまでの時間である待機時間の履歴を記憶する待機時間履歴記憶手段と、
前記待機時間履歴記憶手段に記憶された履歴に基づいて、過去の待機時間が長い場合は短い場合に比べて、前記通知が早いタイミングで行われるように通知条件を変更する通知条件変更手段と
を備えたことを特徴とすることを請求項２記載の情報提供装置。
【請求項４】
前記車載バッテリの充電完了から充電解除操作が行われるまでの時間である待機時間の履歴を記憶する待機時間履歴記憶手段と、
前記待機時間履歴記憶手段に記憶された履歴に基づいて、過去の待機時間が長い場合は短い場合に比べて、前記通知手段が前記通知を行う周期を短くする通知周期可変手段と
を備えたことを特徴とする請求項２または３記載の情報提供装置。
【請求項５】
前記情報提供手段は、
前記電動車両の位置と前記車両ユーザの位置とに基づいて、前記電動車両から離れている車両ユーザが前記電動車両の位置に戻ってくるまでに必要となる必要移動時間を取得する必要移動時間取得手段と、
前記車載バッテリを充電しているときに、前記必要残充電時間と前記必要移動時間とを表す情報を前記判断支援情報として繰り返し前記車両ユーザに提供する時間情報提供手段と
を備えたことを特徴とする請求項１記載の情報提供装置。
【請求項６】
前記情報提供手段は、
前記必要残充電時間に基づいて、前記車載バッテリの充電が完了するときに車両ユーザが前記電動車両の位置に戻ってくることができる前記電動車両からの移動可能範囲を設定する移動可能範囲設定手段と、
前記車載バッテリを充電しているときに、前記電動車両の位置を基準とした前記移動可能範囲と前記車両ユーザの位置との関係を表す情報を前記判断支援情報として繰り返し前記車両ユーザに提供する位置情報提供手段と
を備えたことを特徴とする請求項１記載の情報提供装置。
【発明の詳細な説明】
【技術分野】
【０００１】
本発明は、外部電源により充電可能な車載バッテリを搭載した電動車両のユーザに対して、車載バッテリの充電に関連した情報を提供するための情報提供装置に関する。
【背景技術】
【０００２】
電気自動車やプラグイン・ハイブリッド車といった電動車両の普及に伴って、電動車両の車載バッテリを充電するための充電施設も拡充されてきている。充電施設は、専用の充電スタンドだけでなく、コンビニエンスストア、ショッピングセンターなどの店舗や、娯楽施設等においても設けられ、駐車中にバッテリ充電を行うことができる。
【０００３】
電動車両における車載バッテリの充電は、ガソリン車の燃料補給に比べて時間がかかる。このため、車両ユーザは、充電時間を利用して買い物などをするために車両から離れることが多い。しかし、充電完了後に速やかに充電駐車スペースを空けないと、後続の充電待ち車両を更に待たせてしまうことになる。また、充電施設の稼働率の低下にもつながる。そこで、例えば、特許文献１においては、車載バッテリの充電がまもなく完了することを車両ユーザの携帯端末に通知する技術が提案されている。この通知により、車両ユーザは、車両から離れた位置で、車載バッテリの充電完了を事前に知ることができる。
【先行技術文献】
【特許文献】
【０００４】
【特許文献１】特開２０１１−１６７０４１号公報
【発明の概要】
【０００５】
しかしながら、車両ユーザが車両から遠く離れている場合には、充電完了の事前通知を受けてあわてて充電施設に戻っても、充電完了に間に合わない。このため、後続の充電待ち車両を待たせてしまうことになる。また、特許文献１においては、充電率を車両ユーザの携帯端末で通知するが、この充電率が通知されても、車両ユーザにとっては、車両からどこまで離れて良いのか検討がつかない。このため、特に、後続の充電待ち車両を気にする車両ユーザにとっては、車両から余り離れられず行動が過剰に規制されてしまう。
【０００６】
本発明は、上記問題に対処するためになされたもので、充電中に車両から離れているユーザに対して、充電完了時に車両に戻ってこられるような適切な情報を提供することを目的とする。
【０００７】
上記目的を達成するために、本発明の特徴は、電動車両（１０）に搭載された車載バッテリ（２０）を外部電源により充電しているときに、前記電動車両から離れている車両ユーザに対して、前記車載バッテリの充電に関連した情報を提供するための情報提供装置において、
前記車載バッテリの充電中に、前記車載バッテリの充電が完了するまでに必要となる必要残充電時間（Ｔｂ）を取得する必要残充電時間取得手段（１２４，２２１）と、前記車載バッテリを充電しているときの前記電動車両の位置を取得する車両位置取得手段（１２２，２２２）と、前記車載バッテリを充電しているときの前記車両ユーザの位置を取得するユーザ位置取得手段と（１２１，２２３）、前記必要残充電時間と前記電動車両の位置と前記車両ユーザの位置とに基づいた、前記車両ユーザが前記車載バッテリの充電が完了するときに前記電動車両の位置に戻れるようにするタイミングを表すタイミング情報、あるいは、前記タイミングをユーザが判断するための判断支援情報を前記車両ユーザに提供する情報提供手段（１２３，１２５，１１０，２２４，２２５，２２６，２２７）とを備えたことにある。
【０００８】
本発明は、バッテリ充電中に電動車両から離れている車両ユーザが、バッテリ充電が完了するときに車両位置にまで戻ってこられるようにするために、必要残充電時間取得手段と車両位置取得手段とユーザ位置取得手段と情報提供手段とを備えている。必要残充電時間取得手段は、車載バッテリの充電が完了するまでに必要となる必要残充電時間を取得する。バッテリ充電中においては、必要残充電時間は時間の経過とともに少なくなっていくため、必要残充電時間取得手段は、バッテリ充電中において、所定の周期にて必要残充電時間を取得するとよい。
【０００９】
車両位置取得手段は、車載バッテリを充電しているときの電動車両の位置を取得する。例えば、電動車両にＧＰＳを使った車両位置検出装置を備えている場合には、その検出情報を取得すればよい。また、バッテリ充電を行っている充電施設の位置情報を取得できる場合には、充電施設の位置を電動車両の位置として取得することもできる。ユーザ位置取得手段は、車載バッテリを充電しているときの車両ユーザの位置を取得する。例えば、車両ユーザが所持する携帯端末に設けられた位置検出装置にて検出される携帯端末の位置情報を所定の周期で取得する。
【００１０】
情報提供手段は、必要残充電時間と電動車両の位置と車両ユーザの位置とに基づいたタイミング情報、あるいは、判断支援情報を車両ユーザに提供する。タイミング情報は、車両ユーザが車載バッテリの充電が完了するときに電動車両の位置に戻れるようにするタイミングを表す情報である。判断支援情報は、そのタイミングについてユーザの判断を支援する情報である。
【００１１】
これにより、本発明によれば、車両ユーザは、バッテリ充電中に電動車両から離れていても、電動車両に戻るべき適切なタイミングを把握することができる。従って、車両ユーザは、後続の充電待ち車両を気にすることなく、ショッピング等でバッテリ充電時間を有効利用することができる。また、バッテリ充電の完了後において、後続の充電待ち車両を待たせてしまうことを抑制できる。これにより、充電施設の稼働率を向上させることができる。
【００１２】
本発明の他の特徴は、前記情報提供手段は、前記電動車両の位置と、前記車両ユーザの位置とに基づいて、前記電動車両から離れている車両ユーザが前記電動車両の位置に戻ってくるまでに必要となる必要移動時間（Ｔａ）を取得する必要移動時間取得手段（１２３）と、前記必要残充電時間と前記必要移動時間との関係に基づいて通知タイミングを設定し、前記設定した通知タイミングにて、前記車両ユーザに対して前記電動車両の位置に戻るよう促す通知を行う通知手段（１１０，１２５）とを備えたことにある。
【００１３】
本発明においては、情報提供手段は、必要移動時間取得手段と通知手段とを備えている。必要移動時間取得手段は、電動車両の位置と、車両ユーザの位置とに基づいて、電動車両から離れている車両ユーザが電動車両の位置に戻ってくるまでに必要となる必要移動時間を取得する。バッテリ充電中においては、車両ユーザは、電動車両から離れて移動することが多いため必要移動時間が変化する。従って、必要移動時間取得手段は、バッテリ充電中において、所定の周期にて必要移動時間を取得するとよい。
【００１４】
必要残充電時間が必要移動時間よりも長い場合は、車両ユーザがこの時点で電動車両に引き返せば、バッテリ充電の完了前に電動車両に戻ることができると推定できる。逆に、必要残充電時間が必要移動時間よりも短い場合には、車両ユーザがこの時点で電動車両に引き返しても、バッテリ充電の完了前に間に合わないと推定できる。従って、必要残充電時間と必要移動時間との大小関係から、車両ユーザを電動車両の位置に戻るように促すための通知を行う適切な通知タイミングを設定することができる。
【００１５】
そこで、通知手段は、必要残充電時間と必要移動時間との関係に基づいて通知タイミングを設定し、設定した通知タイミングにて、車両ユーザを電動車両の位置に戻るように促すための通知を行う。この通知が、タイミング情報の提供に相当する。例えば、必要残充電時間と必要移動時間とを所定の周期で比較して、必要移動時間が必要残充電時間以上になったと判定したときに通知する。必要移動時間は、予め設定した時間余裕を加味したものであってもよい。この通知は、例えば、車両ユーザの所有する携帯端末を介して行うようにするとよい。
【００１６】
この結果、本発明によれば、車両ユーザは、バッテリ充電中に電動車両から離れていても、電動車両に戻るべき適切なタイミングで通知を受けることができる。従って、車両ユーザは、後続の充電待ち車両を気にすることなく、ショッピング等でバッテリ充電時間を有効利用することができる。また、バッテリ充電の完了後において、後続の充電待ち車両を待たせてしまうことを抑制できる。これにより、充電施設の稼働率を向上させることができる。
【００１７】
本発明の他の特徴は、前記車載バッテリの充電完了から充電解除操作が行われるまでの時間である待機時間の履歴を記憶する待機時間履歴記憶手段（１２７）と、前記待機時間履歴記憶手段に記憶された履歴に基づいて、過去の待機時間が長い場合は短い場合に比べて、前記通知が早いタイミングで行われるように通知条件を変更する通知条件変更手段（１２８，Ｓ１５１）とを備えたことにある。
【００１８】
バッテリ充電が完了した場合には、速やかに充電解除を行って充電駐車スペースを空けないと、後続の充電待ち車両に待機状態を強いることになり、充電施設の稼働率を低下させてしまう。そこで、本発明においては、バッテリ充電の完了から速やかに充電解除を行わない傾向の強い車両ユーザに対しては、車両まで戻るように促すための通知を早めに行うようにするために、待機時間履歴記憶手段と通知条件変更手段とを備えている。
【００１９】
待機時間履歴記憶手段は、車載バッテリの充電完了から充電解除操作が行われるまでの時間である待機時間の履歴を記憶する。充電解除操作は、車両ユーザが充電を終了させて充電駐車スペースを空けられるようにする操作であって、例えば、充電用ケーブルの取り外し操作や、バッテリ充電制御を終了させる充電終了操作器の操作などが該当する。従って、待機時間履歴記憶手段は、こうした充電解除操作を検出することにより、車載バッテリの充電完了から充電解除操作までの待機時間を計測して、その履歴を記憶する。
【００２０】
通知条件変更手段は、待機時間履歴記憶手段に記憶された履歴に基づいて、過去の待機時間が長い場合は短い場合に比べて、通知が早いタイミングで行われるように通知条件を変更する。従って、バッテリ充電の完了から速やかに充電解除を行わない傾向（実績）のある車両ユーザに対しては、車両まで戻るように促すための通知が早めに行われることになる。これにより、車両ユーザの過去の実績に応じた適切なタイミングで通知を行うことができる。この結果、充電待ち車両の流れが一層スムーズとなり、充電施設の稼働率が一層向上する。
【００２１】
本発明の他の特徴は、前記車載バッテリの充電完了から充電解除操作が行われるまでの時間である待機時間の履歴を記憶する待機時間履歴記憶手段（１２７）と、前記待機時間履歴記憶手段に記憶された履歴に基づいて、過去の待機時間が長い場合は短い場合に比べて、前記通知手段が前記通知を行う周期を短くする通知周期可変手段（１２８，Ｓ１７１）とを備えたことにある。
【００２２】
本発明においては、通知周期可変手段が、待機時間履歴記憶手段に記憶された履歴に基づいて、過去の待機時間が長い場合は短い場合に比べて、通知手段が通知を行う周期を短くする。この場合、通知手段は、通知条件が成立するあいだは、所定の周期にて（所定のインターバルをあけて）繰り返し通知を行うものであり、通知周期可変手段は、この通知を行う周期を短くする。従って、バッテリ充電の完了から速やかに充電解除を行わない傾向（実績）のある車両ユーザに対しては、車両まで戻るように促すための通知が短い周期にて繰り返される。これにより、車両ユーザの過去の実績に応じた適切な頻度で通知を行うことができる。この結果、充電待ち車両の流れが一層スムーズとなり、充電施設の稼働率が一層向上する。
【００２３】
尚、過去の待機時間とは、過去の待機時間の累積値でもよいし、過去のバッテリ充電１回あたりの待機時間の平均値であってもよく、待機時間の履歴に関連した時間であればよい。
【００２４】
本発明の他の特徴は、前記情報提供手段は、前記電動車両の位置と前記車両ユーザの位置とに基づいて、前記電動車両から離れている車両ユーザが前記電動車両の位置に戻ってくるまでに必要となる必要移動時間を取得する必要移動時間取得手段（２２４）と、前記車載バッテリを充電しているときに、前記必要残充電時間と前記必要移動時間とを表す情報を前記判断支援情報として繰り返し前記車両ユーザに提供する時間情報提供手段（２２５）とを備えたことにある。
【００２５】
本発明においては、情報提供手段は、車両ユーザが車載バッテリの充電が完了するときに電動車両の位置に戻れるようにするタイミングをユーザが判断するための判断支援情報を車両ユーザに提供するために、必要移動時間取得手段と時間情報提供手段とを備えている。必要移動時間取得手段は、電動車両の位置と車両ユーザの位置とに基づいて、電動車両から離れている車両ユーザが電動車両の位置に戻ってくるまでに必要となる必要移動時間を取得する。バッテリ充電中においては、車両ユーザは、電動車両から離れて移動することが多いため必要移動時間が変化する。従って、必要移動時間取得手段は、バッテリ充電中において、所定の周期にて必要移動時間を取得するとよい。
【００２６】
時間情報提供手段は、必要残充電時間と必要移動時間とを表す情報を判断支援情報として繰り返し車両ユーザに提供する。車両ユーザは、必要残充電時間と必要移動時間とを比べることにより、電動車両の位置に戻るタイミングを容易に判断することができる。例えば、必要残充電時間から必要移動時間を引いた時間が余裕時間となるため、この余裕時間に基づいて電動車両の位置に戻るべきタイミングを適切に判断することができる。この結果、本発明によれば、車両ユーザは、バッテリ充電中に電動車両から離れていても、電動車両に戻るべきタイミングを適切に判断することができる。従って、車両ユーザは、後続の充電待ち車両を気にすることなく、ショッピング等でバッテリ充電時間を有効利用することができる。また、バッテリ充電の完了後において、後続の充電待ち車両を待たせてしまうことを抑制できる。これにより、充電施設の稼働率を向上させることができる。
【００２７】
本発明の他の特徴は、前記情報提供手段は、前記必要残充電時間に基づいて、前記車載バッテリの充電が完了するときに車両ユーザが前記電動車両の位置に戻ってくることができる前記電動車両からの移動可能範囲を設定する移動可能範囲設定手段（２２６）と、前記車載バッテリを充電しているときに、前記電動車両の位置を基準とした前記移動可能範囲と前記車両ユーザの位置との関係を表す情報を前記判断支援情報として繰り返し前記車両ユーザに提供する位置情報提供手段（２２７）とを備えたことにある。
【００２８】
本発明においては、情報提供手段は、車両ユーザが車載バッテリの充電が完了するときに電動車両の位置に戻れるようにするタイミングをユーザが判断するための判断支援情報を車両ユーザに提供するために、移動可能範囲設定手段と位置情報提供手段とを備えている。移動可能範囲設定手段は、必要残充電時間に基づいて、車載バッテリの充電が完了するときに車両ユーザが電動車両の位置に戻ってくることができる電動車両からの移動可能範囲を設定する。位置情報提供手段は、車載バッテリを充電しているときに、電動車両の位置を基準とした移動可能範囲と車両ユーザの位置との関係を表す情報を判断支援情報として繰り返し車両ユーザに提供する。
【００２９】
従って、車両ユーザは、移動可能範囲と車両ユーザの位置との関係から、電動車両の位置に戻るタイミングを容易に判断することができる。例えば、移動可能範囲に対して車両ユーザの位置が電動車両に接近しているほど、電動車両に戻るまでの時間的な余裕があると判断することができる。逆に、車両ユーザの位置が移動可能範囲の境界に接近しているほど、電動車両に戻るまでの時間的な余裕がないと判断することができる。この結果、本発明によれば、車両ユーザは、バッテリ充電中に電動車両から離れていても、電動車両に戻るべきタイミングを適切に判断することができる。従って、車両ユーザは、後続の充電待ち車両を気にすることなく、ショッピング等でバッテリ充電時間を有効利用することができる。また、バッテリ充電の完了後において、後続の充電待ち車両を待たせてしまうことを抑制できる。これにより、充電施設の稼働率を向上させることができる。
【００３０】
上記説明においては、発明の理解を助けるために、実施形態に対応する発明の構成に対して、実施形態で用いた符号を括弧書きで添えているが、本発明の各構成要件は前記符号によって規定される実施形態に限定されるものではない。
【図面の簡単な説明】
【００３１】
【図１】本発明の実施形態に係る情報提供装置が適用される車両情報提供システムを表す概略構成図である。
【図２】第１実施形態に係る車載端末と携帯端末の概略構成図である。
【図３】第１実施形態に係る充電情報通知制御ルーチンを表すフローチャートである。
【図４】第２実施形態に係る車載端末と携帯端末の概略構成図である。
【図５】第２実施形態に係る充電情報通知制御ルーチンを表すフローチャートである。
【図６】第３実施形態に係る車載端末と携帯端末の概略構成図である。
【図７】第３実施形態に係る携帯端末のディスプレイに表示される画面を表す説明図である。
【図８】第４実施形態に係る車載端末と携帯端末の概略構成図である。
【図９】第４実施形態に係る携帯端末のディスプレイに表示される画面を表す説明図である。
【図１０】第４実施形態に係る携帯端末のディスプレイに表示される移動可能範囲の変化を表す説明図である。
【発明を実施するための形態】
【００３２】
以下、本発明の一実施形態に係る情報提供装置について図面を用いて説明する。図１は、実施形態に係る情報提供装置が適用される車両情報提供システムを表す概略構成図である。
【００３３】
車両情報提供システムは、車両から離れている車両ユーザ（以下、単にユーザと呼ぶ）に対して、ユーザの所有する携帯端末を使って、バッテリ充電に関する情報を知らせるシステムである。この車両情報提供システムに適用される車両は、バッテリを備え、外部電源によりバッテリを充電できるようにしたプラグイン式電動車両である。例えば、バッテリの電力で走行用モータを駆動する電気自動車がその代表であるが、走行用モータと内燃機関とを備えたプラグイン式ハイブリッド自動車であってもよい。また、電動自転車、アシスト自転車、電動バイクなどのバッテリの出力する電力により走行する二輪車、三輪車等であってもよい。
【００３４】
車両情報提供システムは、図１に示すように、車両１０に設けられる車載端末１００と、ユーザの所有する携帯端末２００と、車載端末１００，携帯端末２００を相互に通信可能に接続するインターネット等の通信回線網３００とを備えている。通信回線網３００には、複数の無線基地局３１０が接続され、車載端末１００および携帯端末２００は、この無線基地局３１０を介して通信回線網３００に接続される。また、通信回線網３００には、例えば、車両情報を管理する車両情報センターに設けられるセンターサーバー４００など、各種の情報提供サービスを行うサーバーが接続されている。
【００３５】
車両１０のバッテリ２０は、家庭用のコンセントから充電することができるだけでなく、外出先においては、充電スタンドに加えて、コンビニエンスストア、ショッピングセンターなどの店舗や娯楽施設等の駐車場に設けられた給電装置５００を用いて充電することができる。以下、給電装置５００を備えた施設を充電施設と呼ぶ。給電装置５００は、充電用ケーブル５１０を使って車両１０に接続されることにより、充電用電力をバッテリ２０に供給する。
【００３６】
車両１０は、走行駆動系の構成として、バッテリ２０から出力される直流電力を三相交流電力に変換するモータドライバ（例えば、インバータ）３０と、モータドライバ３０から出力される三相交流電力により駆動されて車輪Ｗを回転させる走行用のモータ４０と、運転者の運転操作に応じてモータドライバ３０の出力を制御するモータ制御ユニット５０（以下、モータＥＣＵ５０と呼ぶ）とを備えている。モータＥＣＵ５０は、車輪Ｗの回転駆動時においては、バッテリ２０の電力を使用するが、車両１０の制動時においては、車輪Ｗの回転エネルギーでモータ４０を回し、このときモータ４０が発電した電力をバッテリ２０へ回生するようにモータドライバ３０を制御する。これにより、ブレーキ操作に応じた回生制動力を発生させることができるようになっている。
【００３７】
車両１０は、バッテリ２０を充電するための構成として、充電用ケーブル５１０の接続プラグ５１１の接続口である受電口６０と、受電口６０に供給される電力をバッテリ２０の充電用電力に変換してバッテリ２０を充電する充電器７０と、充電器７０によるバッテリ２０への充電を制御する充電ＥＣＵ８０とを備えている。バッテリ２０には、バッテリ２０の充電状態を示す値であるＳＯＣ（State  Of  Charge）を検出するＳＯＣ検出器９０が設けられる。ＳＯＣ検出器９０は、ＳＯＣとしてバッテリ２０の充電率（％）を表す信号を充電ＥＣＵ８０に出力する。
【００３８】
充電ＥＣＵ８０は、マイクロコンピュータを主要部として備え、バッテリ２０の充電時においては、ＳＯＣ検出器９０により検出されるバッテリ残量（充電率）がユーザの設定した目標値（例えば、満充電）に達するまで充電器７０を作動させてバッテリ２０を充電する。また、バッテリ残量と、給電装置５００からバッテリに供給される電流量とに基づいて、バッテリ残量が目標値に達するまで（充電完了まで）に必要となる時間を所定の演算周期で推定計算する。以下、充電ＥＣＵ８０により推定計算されたバッテリ残量が目標値に達するまでに必要となる時間を必要残充電時間Ｔｂと呼ぶ。
【００３９】
受電口６０には、充電用ケーブル５１０の接続プラグ５１１が差し込まれたときに接点の状態が切り替わる機械的なプラグ検出スイッチ６１が設けられており、プラグ検出信号を充電ＥＣＵ８０に出力する。プラグ検出スイッチ６１は、例えば、接続プラグ５１１が受電口６０に差し込まれた状態であるときにオン信号を出力し、接続プラグ５１１が受電口６０から外されている状態であるときにオフ信号を出力する。これにより、充電ＥＣＵ８０は、バッテリ充電の操作を検出することができるようになっている。
【００４０】
充電ＥＣＵ８０は、充電器７０を作動させてバッテリ２０の充電を開始したときに、バッテリ充電の開始を表す充電開始情報を車載端末１００に出力する。そして、バッテリ充電中においては、必要残充電時間Ｔｂを所定の周期で計算し、その計算の都度、計算結果を車載端末１００に出力する。また、充電ＥＣＵ８０は、バッテリ残量が目標値に達して充電器７０の作動を停止させると、バッテリ充電が完了したことを表す充電完了情報を車載端末１００に出力し、その後、充電用ケーブル５１０の接続プラグ５１１が抜かれて、プラグ検出スイッチ６１がオン状態からオフ状態に切り替わると、充電解除されたことを表す充電解除情報を車載端末１００に出力する。
【００４１】
車載端末１００は、本発明の情報提供装置に相当するもので、通信回線網３００に接続して外部通信機器と無線通信を行う通信制御装置１１０（通信ＥＣＵ１１０と呼ぶ）と、バッテリ充電時に車両１０から離れているユーザに対して充電に関する情報を提供するための情報提供制御装置１２０（以下、情報提供ＥＣＵ１２０と呼ぶ）とを備えている。通信ＥＣＵ１１０は、通信回線網３００を介してユーザの所有する携帯端末２００、あるいは、センターサーバー４００に接続するものである。本実施形態においては、バッテリ充電に関する情報は、車載端末１００から携帯端末２００に送信するように構成しているが、センターサーバー４００から携帯端末２００に送信するように構成することもできる。
【００４２】
ユーザが所有する携帯端末２００としては、例えば、スマートフォンや携帯電話が使用される。携帯端末２００は、図２に示すように、通信回線網３００に接続して外部通信機器と無線通信を行う通信制御部２１０と、表示器と操作器とを兼用したタッチパネル式液晶ディスプレイ２３０と、音声を発するスピーカやアンプを備えた発音部２４０と、ＧＰＳ衛星からの電波に基づいて携帯端末２００の現在位置を検出するＧＰＳユニット２５０と、各種のアプリケーションの実行を司る主制御部２２０と、アプリケーションプログラムや各種のデータを記憶するメモリ２６０とを備える。携帯端末２００は、電話機能、メール機能、インターネットと接続する機能、各種のアプリケーションプログラムのダウンロードおよびプログラムを実行する機能に加え、車載端末１００あるいは車両情報センターのセンターサーバー４００と通信接続して車両情報等各種の情報を授受する機能を備えている。
【００４３】
車載端末１００の情報提供ＥＣＵ１２０は、充電ＥＣＵ８０と接続され、相互に情報の授受ができるようになっている。また、情報提供ＥＣＵ１２０は、ＧＰＳ衛星からの電波に基づいて自車両の現在位置を検出するＧＰＳユニット１３０と、地図情報（それに関連する情報も含む）を記憶した記憶ユニット１４０とを接続しており、自車両の現在位置情報および地図情報を取得できるようになっている。このＧＰＳユニット１３０および記憶ユニット１４０は、図示しない車載ナビゲーション装置と共通に使用されるものでよい。尚、地図情報には、歩行者用ルートを設定するための歩道情報、交通機関情報なども含まれている。
【００４４】
情報提供ＥＣＵ１２０は、マイクロコンピュータを主要部として備え、その機能に分類すると、図２に示すように、ユーザ位置取得部１２１、車両位置取得部１２２、必要移動時間計算部１２３、必要残充電時間取得部１２４、通知判定部１２５から構成される。これらの機能部における処理は、バッテリ２０の充電開始から充電解除までの期間においてマイクロコンピュータにより実行される。
【００４５】
ユーザ位置取得部１２１は、ユーザの所持する携帯端末２００の位置を表す情報を取得することにより、ユーザの現在位置（ユーザ位置と呼ぶ）を検出する。ユーザ位置取得部１２１は、充電ＥＣＵ８０からバッテリ充電が開始されたことを表す充電開始情報を入力すると、通信ＥＣＵ１１０に対してユーザ位置取得指令を出力する。通信ＥＣＵ１１０は、ユーザ位置取得部１２１から出力されたユーザ位置取得指令に基づいて、ユーザの所持する携帯端末２００にアクセスして、携帯端末２００に対してユーザ位置要求指令を送信する。
【００４６】
携帯端末２００は、ユーザ位置要求指令を受信すると、主制御部２２０がユーザ位置通知プログラムを実行し、ＧＰＳユニット２５０により検出される携帯端末２００の現在位置を表す情報を読み込み、読み込んだ位置情報をユーザ位置情報として車載端末１００に送信する。ユーザ位置取得部１２１は、充電ＥＣＵ８０から充電解除情報を入力するまでのあいだ、こうした処理を所定の周期で繰り返す。これにより、ユーザ位置取得部１２１は、バッテリ充電が開始されてから解除されるまでのあいだ、ユーザ位置情報をリアルタイムで取得することができる。ユーザ位置取得部１２１は、携帯端末２００から取得したユーザ位置情報を取得する都度、取得したユーザ位置情報を必要移動時間計算部１２３に出力する。
【００４７】
車両位置取得部１２２は、充電ＥＣＵ８０から充電開始情報を入力すると、車両１０に搭載されたＧＰＳユニット１３０により検出される自車両の現在位置を表す情報を読み込む。これにより、バッテリ充電中における車両位置情報を取得する。バッテリ充電中においては、車両１０は移動しないため、車両位置情報の取得は１回のみ行われる。車両位置取得部１２２は、取得した車両位置情報を必要移動時間計算部１２３に出力する。
【００４８】
必要移動時間計算部１２３は、ユーザ位置取得部１２１から出力されたユーザ位置情報と、車両位置取得部１２２から出力された車両位置情報とを入力し、ユーザが車両位置に戻るのに要する時間である必要移動時間Ｔａを計算により取得する。必要移動時間Ｔａの計算は、ユーザ位置情報が入力される都度、実行される。この場合、必要移動時間計算部１２３は、記憶ユニット１４０に記憶されている地図情報を使って、ユーザが地図上におけるユーザ位置から車両位置まで戻ってくる経路を設定し、その経路における距離を移動速度（例えば、歩行速度）で除算することにより必要移動時間Ｔａを計算する。この経路の設定にあたっては、例えば、最短経路を用いても良いし、ユーザ位置情報の履歴（ユーザ移動履歴）から求めたユーザの移動した経路等を用いるようにしても良い。また、移動速度は、予め設定した固定値でもよいし、ユーザ移動履歴から計算により求めるようにしてもよい。
【００４９】
また、ユーザ移動履歴から、ユーザが電車、バス等の公共交通機関を利用して移動したと推定できる場合には、その公共交通機関を使ってユーザが車両位置に戻るのに要する時間を計算するようにするとよい。この場合には、記憶ユニット１４０に記憶されている交通機関情報（時刻表情報等）を用いて利用駅の発着時刻等を考慮して計算するとよい。尚、地図情報、交通機関情報等に関しては、必ずしも記憶ユニット１４０に記憶しておく必要はなく、例えば、Ｗｅｂサービスを利用して、これらの情報を通信ＥＣＵ１１０を介して取得するようにしてもよい。
【００５０】
また、必要移動時間Ｔａの計算は、必要移動時間計算部１２３で行わずに、例えば、図示しない車載ナビゲーション装置に実行させるようにしてもよいし、通信回線網３００に接続されたルート検索サイト等のＷｅｂサーバーに実行させるようにしてもよい。この場合には、必要移動時間計算部１２３は、必要移動時間Ｔａの計算を実行させる装置に対して、ユーザ位置情報と車両位置情報（車載ナビゲーション装置の場合には不要）とを送信し、そこで計算された計算結果を取得するようにすればよい。
【００５１】
必要移動時間計算部１２３は、必要移動時間Ｔａを取得（計算）する都度、その必要移動時間Ｔａを通知判定部１２５に出力する。
【００５２】
必要残充電時間取得部１２４は、充電ＥＣＵ８０から所定の周期で出力される必要残充電時間Ｔｂを取得し、その都度、取得した必要残充電時間Ｔｂを通知判定部１２５に出力する。
【００５３】
通知判定部１２５は、必要移動時間計算部１２３から出力された必要移動時間Ｔａと、必要残充電時間取得部１２４から出力された必要残充電時間Ｔｂとを入力し、両者を比較する。必要残充電時間Ｔｂが必要移動時間Ｔａよりも長い場合（Ｔｂ＞Ｔａ）は、ユーザがこの時点で車両１０に引き返せば、ユーザはバッテリ充電の完了前に車両１０に到着することができると推定される状況である。一方、必要残充電時間Ｔｂが必要移動時間Ｔａよりも短い場合（Ｔｂ＜Ｔａ）には、ユーザがこの時点で車両１０に引き返しても、ユーザはバッテリ充電の完了前に車両１０に到着することができないと推定される状況である。この場合には、後続の充電待ち車両１０’を待たせてしまうことになる。
【００５４】
そこで、通知判定部１２５は、必要残充電時間Ｔｂが必要移動時間Ｔａ以下となる場合（Ｔｂ≦Ｔａ）には、ユーザを車両１０に戻るように促すメッセージ通知を行うための通知指令を通信ＥＣＵ１１０に対して出力する。また、必要残充電時間Ｔｂが必要移動時間Ｔａより長い場合（Ｔｂ＞Ｔａ）には、ユーザはすぐに戻る必要がない、つまり、まだ充電完了までの時間に余裕があるため、通知指令を出力しない。
【００５５】
通信ＥＣＵ１１０は、通知判定部１２５から通知指令を入力した場合には、ユーザの所持する携帯端末２００に対して帰車メッセージ通知指令を送信する。携帯端末２００は、帰車メッセージ通知指令を受信すると、主制御部２２０が帰車メッセージ通知プログラムを実行し、通知音を発生させるとともに、ユーザを車両１０に戻すためのメッセージである帰車メッセージを液晶ディスプレイ２３０に表示する。帰車メッセージは、例えば、「これ以上、遠くに行くと、充電完了時に充電ステーションに戻れなくなります。車に引き返すようにしてください。」というように、ユーザをすぐに車両１０に戻るように促すことのできるものであればよい。この場合、液晶ディスプレイ２３０による表示に代えて、あるいは、加えて、発音部２４０による音声アナウンスによる通知を行うようにしてもよい。
【００５６】
必要移動時間Ｔａと必要残充電時間Ｔｂとは時間経過とともに変化する。このため、通知判定部１２５は、必要移動時間Ｔａあるいは必要残充電時間Ｔｂを入力する度に、上述した比較判定を行う。そして、通知指令を出力した場合には、その通知指令後の一定時間は、上記判定を行わないように待機し、一定時間経過した後に上述した処理を再開する。
【００５７】
ここで、情報提供ＥＣＵ１２０における全体処理の流れについて図３を用いて説明する。図３は、情報提供ＥＣＵ１２０の実行する充電情報通知制御ルーチンを表す。この充電情報通知制御ルーチンは、充電ＥＣＵ８０から充電開始情報を入力すると起動し、充電ＥＣＵ８０から充電解除情報を入力すると終了する。
【００５８】
充電情報通知制御ルーチンが起動すると、情報提供ＥＣＵ１２０は、ステップＳ１１において、ＧＰＳユニット１３０により検出される自車両位置を取得する。続いて、ステップＳ１２において、通信ＥＣＵ１１０にユーザ位置取得指令を出力することにより、携帯端末２００から送信されたユーザ位置を取得する。続いて、ステップＳ１３において、記憶ユニット１４０に記憶されている地図情報を参照して、自車両位置とユーザ位置とに基づいて、ユーザが車両位置にまで戻ってくるのに要する必要移動時間Ｔａを計算する。続いて、ステップＳ１４において、充電ＥＣＵ８０から出力される必要残充電時間Ｔｂを取得する。
【００５９】
続いて、情報提供ＥＣＵ１２０は、ステップＳ１５において、必要残充電時間Ｔｂが必要移動時間Ｔａ以下であるか否かを判断する。充電開始当初においては、必要残充電時間Ｔｂは長く、また、ユーザは車両１０から遠くに離れていないため必要移動時間Ｔａは短い。このため、必要残充電時間Ｔｂは必要移動時間Ｔａよりも長くなる。この場合、ステップＳ１４における判断は、「Ｎｏ」となり、情報提供ＥＣＵ１２０は、その処理をステップＳ１２に戻して上述した処理を所定の周期で繰り返す。
【００６０】
バッテリ充電が開始されると、時間の経過とともに、必要残充電時間Ｔｂは短くなってくる。一方で、ユーザは、車両１０から遠くに離れることができる。この場合、ユーザが車両１０から遠く離れるほど必要移動時間Ｔａが長くなる。
【００６１】
情報提供ＥＣＵ１２０は、こうした処理を繰り返すうちに、必要残充電時間Ｔｂが必要移動時間Ｔａ以下になったことを検出すると（Ｓ１５：Ｙｅｓ）、その処理をステップＳ１６に進めて、通信ＥＣＵ１１０に通知指令を出力することにより、ユーザの携帯端末２００に帰車メッセージを送信する。これにより、ユーザは、車両１０に戻る必要性を認識することができる。
【００６２】
この場合、帰車メッセージが通知されたときにユーザがすぐに車両１０に引き返せば、バッテリ充電が完了する時とほぼ同じタイミングで車両１０に到着することができる。
【００６３】
情報提供ＥＣＵ１２０は、続くステップＳ１７において、通知指令の出力から設定時間Ｔｓだけ時間経過するまで待機した後、その処理をステップＳ１２に進めて、上述した処理を繰り返す。従って、ユーザが帰車メッセージの通知を無視してすぐに車両１０に引き返さない場合には、定期的に帰車メッセージが通知されることになる。
【００６４】
情報提供ＥＣＵ１２０は、充電ＥＣＵ８０から充電解除情報を入力すると、充電情報通知制御ルーチンを終了する。
【００６５】
以上説明した本実施形態の車両情報提供システムによれば、必要移動時間Ｔａと必要残充電時間Ｔｂとを所定の周期で比較し、必要残充電時間Ｔｂが必要移動時間Ｔａ以下となったことを検出したタイミングでユーザの携帯端末２００を使って帰車メッセージを通知する。従って、必要残充電時間が長くても、ユーザが車両１０から遠くに離れた段階で、帰車メッセージが通知される。また、必要残充電時間が短くなってくると、ユーザが車両１０から遠くに離れていなくても帰車メッセージが通知される。つまり、帰車メッセージの通知されないエリア（車両１０を中心とした範囲）が狭くなる。
【００６６】
この結果、ユーザは、バッテリ充電中に車両１０から離れていても、車両１０に戻る適切なタイミングを把握することができる。このため、ユーザは、後続の充電待ち車両１０’を気にすることなく、ショッピング等でバッテリ充電時間を有効利用することができる。また、バッテリ充電の完了後においても後続の充電待ち車両１０’を待たせてしまうことを抑制できる。これにより、給電装置５００を備えたショッピングセンター、娯楽施設等においては、駐車場の車両の流れがスムーズとなる。また、利用客が増加する。また、給電装置５００を効率よく使用できるため充電施設の稼働率が向上する。
【００６７】
尚、本実施形態においては、必要移動時間Ｔａと必要残充電時間Ｔｂとを直接比較しているが、時間余裕を設けておくようにしてもよい。この場合には、必要移動時間Ｔａに予め設定した余裕時間Ｔｃを加算した値（Ｔａ＋Ｔｃ）と、必要残充電時間Ｔｂとを比較するようにすればよい。あるいは、必要移動時間Ｔａに時間余裕係数Ｋ（＞１）を乗算した値（Ｔａ×Ｋ）と、必要残充電時間Ｔｂとを比較するようにしてもよい。
【００６８】
また、バッテリ充電の目標値（目標充電率）は、ユーザが設定してもよいし、固定値であっても良い。目標値を車両１０側で設定する場合には、充電ＥＣＵ８０が目標設定値を読み込むようにすればよいが、給電装置５００で設定するシステムである場合には、充電用ケーブル５１０を通信ラインに兼用して、給電装置５００と充電ＥＣＵ８０とあいだの電力搬送通信（ＰＬＣ：Power  Line  Communication）により、目標設定値を給電装置５００から充電ＥＣＵ８０に送信するようにするとよい。
【００６９】
＜第２実施形態＞
次に、情報提供ＥＣＵ１２０の構成を変更した実施形態である第２実施形態について説明する。尚、上述した実施形態を第１実施形態と呼ぶ。図４は、第２実施形態に係る車載端末１００の機能ブロック図である。この第２実施形態における情報提供ＥＣＵ１２０１は、第１実施形態における情報提供ＥＣＵ１２０の構成に、待機時間計測部１２６と、待機履歴記憶部１２７と、通知条件変更部１２８とを追加したもので、他の構成については、第１実施形態と同一である。以下、追加した構成について説明する。
【００７０】
バッテリ充電時においては、充電ＥＣＵ８０は、目標充電率にまでバッテリ２０を充電すると充電器７０の作動を停止して充電を完了するが、充電完了後に速やかに充電解除を行って充電駐車スペースを明け渡さなければ、後続の充電待ち車両１０’は充電することができない。ここで、充電完了から充電解除が行われるまでの状態、つまり、充電待ち車両１０’に対して必要以上に待たせてしまう状態を待機状態と呼び、その時間を待機時間と呼ぶ。
【００７１】
第２実施形態においては、待機状態を頻繁に起こすユーザに対しては、バッテリ充電中における帰車メッセージの通知タイミングを早めるとともに、その通知インターバルを早くすることにより、待機状態となることを抑制する。
【００７２】
待機時間計測部１２６は、バッテリ２０の充電が完了したときに充電ＥＣＵ８０が出力する充電完了情報と、充電が解除されたときに充電ＥＣＵ８０が出力する充電解除情報を入力する。充電解除の検出は、本実施形態においては、充電用ケーブル５１０の接続プラグ５１１が受電口６０から抜かれたこと（プラグ検出スイッチ６１のオフ）を検出して行っているが、それに代えて、例えば、車両１０内にバッテリ２０の自動充電制御を終了させる充電解除スイッチ（図示略）を設け、この充電解除スイッチの操作を検出するようにしてもよい。また、給電装置５００に設けられた給電終了スイッチ（図示略）の操作を充電ＥＣＵ８０にて検出するようにしてもよい。この場合は、給電装置５００と充電ＥＣＵ８０とを電力搬送通信（ＰＬＣ）あるいは近距離無線通信等により通信接続して、給電装置５００から充電ＥＣＵ８０に対して充電解除信号を送信するようにすればよい。
【００７３】
待機時間計測部１２６は、充電完了情報を入力するとタイマを起動して計時を開始し、その後、充電解除情報を入力するとタイマの計時を終了する。これにより、待機時間計測部１２６は、充電完了から充電解除までにかかった時間である待機時間Ｔｗを計測する。待機時間計測部１２６は、バッテリ２０の充電が行われる度に、待機時間Ｔｗを待機履歴記憶部１２７に出力する。
【００７４】
待機履歴記憶部１２７は、待機時間計測部１２６から出力される待機時間Ｔｗを累積し、その計算値である累積待機時間ΣＴｗを記憶保持する。この累積待機時間ΣＴｗは、ユーザが過去に充電待ち車両１０’を無駄に待たせてしまった時間に比例していると推定できる。
【００７５】
通知条件変更部１２８は、充電ＥＣＵ８０から充電開始情報を入力すると、待機履歴記憶部１２７に記憶されている最新の累積待機時間ΣＴｗを読み出し、累積待機時間ΣＴｗに基づいて、早め通知時間αと、早め周期係数βとを設定する。早め通知時間αは、バッテリ充電中における帰車メッセージの通知タイミングを早めるための調整時間を表し、必要移動時間Ｔａに加算される時間（あるいは必要残充電時間Ｔｂに減算される時間）である。早め通知時間αは、次式に示すように、累積待機時間ΣＴｗが長くなるに従って増加するように設定される。ここで、Ｋ１は、任意に設定された係数である。
α＝Ｋ１×ΣＴｗ
【００７６】
また、早め周期係数βは、帰車メッセージの通知周期Ｔｓを短くする度合を表し、通知周期Ｔｓに乗算される係数である。早め周期係数βは、次式に示すように累積待機時間ΣＴｗが長くなるに従って減少するように設定される。ここで、Ｋ２は、任意に設定された係数である。
β＝Ｋ２／ΣＴｗ
【００７７】
通知条件変更部１２８は、設定した早め通知時間αと早め周期係数βとを通知判定部１２５に出力する。通知判定部１２５は、この早め通知時間αと早め周期係数βとに基づいて通知条件を変更して通知判定を行う。
【００７８】
ここで、通知条件の変更を含んだ情報提供ＥＣＵ１２０１における全体処理の流れについて図５を用いて説明する。図５は、情報提供ＥＣＵ１２０１の実行する充電情報通知制御ルーチンを表す。この充電情報通知制御ルーチンは、充電ＥＣＵ８０から充電開始情報を入力すると起動し、充電ＥＣＵから充電解除情報を入力すると終了する。充電情報通知制御ルーチンは、第１実施形態の充電情報通知制御ルーチン（図３）において、ステップＳ１００，Ｓ１０２を追加し、ステップＳ１５，Ｓ１７に代えてステップＳ１５１，Ｓ１７１を設けたものである。従って、第１実施形態と同一の処理については、図面に第１実施形態と同一のステップ番号を付して説明を省略する。
【００７９】
充電情報通知制御ルーチンが起動すると、情報提供ＥＣＵ１２０１は、ステップＳ１００において、累積待機時間ΣＴｗを取得し、続くステップＳ１０１において、累積待機時間ΣＴｗに基づいて、上述した計算式を使って、早め通知時間αと早め周期係数βとを設定する。
【００８０】
情報提供ＥＣＵ１２０１は、ステップＳ１１からステップＳ１４までの処理を行うと、ステップＳ１５１において、必要移動時間Ｔａに早め通知時間αを加算した時間である調整後必要移動時間（Ｔａ＋α）を計算し、必要残充電時間Ｔｂが調整後必要移動時間（Ｔａ＋α）以下であるか否かを判断する。そして、必要残充電時間Ｔｂが調整後必要移動時間（Ｔａ＋α）以下となった段階で、ステップＳ１６において、帰車メッセージの通知を行う。従って、早め通知時間αが長いほど、必要残充電時間Ｔｂに対して早めに帰車メッセージの通知が行われることになる。つまり、累積待機時間ΣＴｗが多いユーザほど、早めに帰車メッセージの通知が行われることになる。
【００８１】
情報提供ＥＣＵ１２０１は、続くステップＳ１７１において、設定時間Ｔｓに早め周期係数βを乗算した値である調整後設定時間（Ｔｓ×β）を計算し、通知指令の出力から調整後設定時間（Ｔｓ×β）だけ時間経過するまで待機した後、その処理をステップＳ１２に戻して、上述した処理を繰り返す。従って、早め周期係数βが小さいほど調整後設定時間（Ｔｓ×β）が短くなって、短いインターバルで通知判定（Ｓ１２〜Ｓ１５１）および通知処理（Ｓ１６）が行われることになる。これにより、累積待機時間ΣＴｗが多いユーザほど、帰車メッセージの通知の頻度が高くなる。
【００８２】
情報提供ＥＣＵ１２０１は、充電ＥＣＵ８０から充電解除情報を入力すると充電情報通知制御ルーチンを終了する。このとき、情報提供ＥＣＵ１２０１は、今回のバッテリ充電における充電完了から充電解除までの待機時間Ｔｗを記憶蓄積する。
【００８３】
以上説明した第２実施形態の車両情報提供システムによれば、充電完了から充電解除までにかかった時間である待機時間Ｔｗを累積した累積待機時間ΣＴｗを記憶し、累積待機時間ΣＴｗが多いほど、帰車メッセージの通知を必要残充電時間Ｔｂに対して早いタイミングで行うとともに、通知周期を短くする。これにより、待機状態にする傾向の強いユーザに対しては、そうした傾向の弱いユーザに比べて、バッテリ充電中における帰車メッセージの通知タイミングが早められ、また、通知頻度が高められる。従って、ユーザの過去の傾向に応じた適切なタイミングで帰車メッセージの通知を行うことができる。この結果、充電待ち車両の流れが一層スムーズとなり、充電施設の稼働率が一層向上する。
【００８４】
尚、家庭でバッテリ充電する場合には待機時間を考慮する必要がないため、パーキング等の共有で使用する充電施設においてバッテリ充電する場合のみ、待機時間Ｔｗを計測するようにするとよい。つまり、待機時間Ｔｗの履歴を記憶すべき状況であるか否かを判断する状況判断手段を設けて、待機時間Ｔｗの履歴を記憶すべき状況である場合においてのみ、待機時間の履歴を記憶するようにするとよい。例えば、情報提供ＥＣＵ１２０１は、ＧＰＳユニット１３０により検出される自車両の現在位置と、記憶ユニット１４０に記憶された地図情報（施設情報を含む）とに基づいて、自車両が共有の充電施設に位置していると判断した場合において、待機時間Ｔｗを計測するようにすればよい。あるいは、自車両位置が自宅位置とは異なると判断した場合において、待機時間Ｔｗを計測するようにしてもよい。あるいは、給電装置５００と充電ＥＣＵ８０とを電力搬送通信（ＰＬＣ）あるいは近距離無線通信等により通信接続して、給電装置５００から充電ＥＣＵ８０に対して待機時間Ｔｗの計測指令を送信するようにしてもよい。
【００８５】
また、第２実施形態においては、待機時間Ｔｗの累積値である累積待機時間ΣＴｗに基づいて、早め通知時間αと、早め周期係数βとを設定するが、累積待機時間ΣＴｗに代えて、バッテリ充電１回あたりの待機時間Ｔｗの平均値Ｔｗaveに基づいて、早め通知時間αと、早め周期係数βとを設定するようにしてもよい。例えば、平均値Ｔｗaveは、累積待機時間ΣＴｗをバッテリ充電回数で乗算することに求めることができる。
【００８６】
＜第３実施形態＞
次に、第３実施形態について説明する。上述した第１，第２実施形態においては、必要残充電時間Ｔｂと必要移動時間Ｔａとの関係に基づいて通知タイミングを設定し、設定した通知タイミングにて、ユーザに対して車両位置に戻るよう促す通知を行うものであるが、第３実施形態においては、ユーザ自身が車両位置に戻るタイミングを判断することができる判断材料となる判断支援情報をユーザに対して提供するものである。図６は、第３実施形態に係る車載端末１００および携帯端末２００の機能ブロック図である。この第３実施形態における情報提供ＥＣＵ１２０２は、車両位置取得部１２２と必要残充電時間取得部１２４とを備える。車両位置取得部１２２と必要残充電時間取得部１２４は、第１実施形態と同様の機能を備える。
【００８７】
車両位置取得部１２２は、ＧＰＳユニット１３０から取得した車両位置情報を通信ＥＣＵ１１０に出力する。また、必要残充電時間取得部１２４は、充電ＥＣＵ８０から所定の周期で出力される必要残充電時間Ｔｂを取得し、その都度、取得した必要残充電時間Ｔｂを通信ＥＣＵ１１０に出力する。通信ＥＣＵ１１０は、車両位置取得部１２２から入力した車両位置情報、および、必要残充電時間取得部１２４から入力した必要残充電時間Ｔｂを携帯端末２００に送信する。車両位置情報は、バッテリ充電が開始されたときに１回だけ送信され、必要残充電時間Ｔｂは、バッテリ２０の充電開始から充電解除までの期間において所定の周期で送信される。
【００８８】
携帯端末２００における主制御部２２０は、マイクロコンピュータを主要部として備え、その機能に分類すると、図６に示すように、必要残充電時間取得部２２１と、車両位置取得部２２２と、ユーザ位置取得部２２３と、必要移動時間計算部２２４、表示制御部２２５とから構成される。これらの機能部における処理は、車載端末１００から情報提供されているあいだマイクロコンピュータにより実行される。
【００８９】
必要残充電時間取得部２２１は、車載端末１００から所定の周期で送信される必要残充電時間Ｔｂを受信する都度、その必要残充電時間Ｔｂを表示制御部２２５に出力する。車両位置取得部２２２は、バッテリ充電の開始時に車載端末１００から送信された車両位置情報を必要移動時間計算部２２４に出力する。ユーザ位置取得部２２３は、ＧＰＳユニット２５０により検出される携帯端末２００の現在位置を表す情報を読み込み、読み込んだ位置情報をユーザ位置情報として必要移動時間計算部２２４に出力する。
【００９０】
必要移動時間計算部２２４は、車両位置取得部２２２から出力された車両位置情報とユーザ位置取得部２２３から出力されたユーザ位置情報とを入力し、ユーザが車両位置に戻るのに要する時間である必要移動時間Ｔａを計算により取得する。必要移動時間Ｔａの計算は、ユーザ位置情報が入力される都度、実行される。この場合、必要移動時間計算部２２３は、メモリ２６０に記憶されている地図情報を使って、ユーザが地図上におけるユーザ位置から車両位置まで戻ってくる経路を設定し、その経路における距離を移動速度（例えば、歩行速度）で除算することにより必要移動時間Ｔａを計算する。この計算にあたっては、第１実施形態における必要移動時間計算部１２３と同様の処理を行うようにすることができる。必要移動時間計算部２２４は、計算により取得した必要移動時間Ｔａを表示制御部２２５に出力する。
【００９１】
表示制御部２２５は、必要残充電時間取得部２２１から入力した必要残充電時間Ｔｂと、必要移動時間計算部２２４から入力した必要移動時間Ｔａとを表す情報をディスプレイ２３０に表示する。図７は、このときにディスプレイ２３０に表示される画面Ｇ１を表す。この画面Ｇ１においては、例えば、「バッテリ充電中です。充電完了までに車両に戻って下さい。」というメッセージと、必要残充電時間Ｔｂを表す充電残時間（この例では、６０分）と、必要移動時間Ｔａを表す必要戻り時間(この例では、４０分）とが表示される。この充電残時間と必要戻り時間とは所定の周期で変化していく。このため、ユーザは、画面Ｇ１に表示される充電残時間と必要戻り時間とに基づいて、バッテリ充電の完了前に車両位置に戻ることができる状況であるか否かについて判断することができる。例えば、ユーザは、充電残時間が必要戻り時間を上回っているあいだであれば、バッテリ充電の完了に間に合うと判断することができる。また、ユーザは、充電残時間と必要戻り時間との差に基づいて、バッテリ充電の完了に間に合う余裕の程度を把握することができる。従って、この充電残時間（必要残充電時間Ｔｂ）と必要戻り時間（必要移動時間Ｔａ）とに基づいて、車両に戻るタイミングをユーザ自身で決定することができる。このように、画面Ｇ１に表示された充電残時間と必要戻り時間とは、ユーザが、バッテリ充電が完了するときに車両位置に戻れるように支援する判断支援情報（判断材料）として機能する。
【００９２】
以上説明した第３実施形態によれば、充電中に車両１０から離れているユーザに対して、充電完了時に車両位置に戻ってこられるような適切な情報を提供することができる。これにより、ユーザは、後続の充電待ち車両１０’を気にすることなく、ショッピング等でバッテリ充電時間を有効利用することができる。また、バッテリ充電の完了後においても後続の充電待ち車両１０’を待たせてしまうことを抑制できる。尚、第３実施形態においては、携帯端末２００が本発明の情報提供装置に相当する。
【００９３】
＜第４実施形態＞
次に、第４実施形態について説明する。上述した第３実施形態においては、ユーザ自身が車両位置に戻るタイミングを判断することができる判断材料となる判断支援情報として、必要残充電時間Ｔｂを表す充電残時間と、必要移動時間Ｔａを表す必要戻り時間をユーザに対して提供したが、第４実施形態においては、車両位置を基準とした移動許可範囲と、ユーザの位置との関係を表す情報を判断支援情報としてユーザに提供する。
【００９４】
図８は、第４実施形態に係る車載端末１００および携帯端末２００の機能ブロック図である。この第４実施形態における情報提供ＥＣＵ１２０２は、第３実施形態における情報提供ＥＣＵ１２０２と同一である。携帯端末２００における主制御部２２０１は、マイクロコンピュータを主要部として備え、その機能に分類すると、図８に示すように、必要残充電時間取得部２２１と、車両位置取得部２２２と、ユーザ位置取得部２２３と、移動可能範囲設定部２２６と、表示制御部２２７とから構成される。これらの機能部における処理は、車載端末１００から情報提供されているあいだマイクロコンピュータにより実行される。必要残充電時間取得部２２１と、車両位置取得部２２２と、ユーザ位置取得部２２３とに関しては、第３実施形態と同様の機能を備える。
【００９５】
移動可能範囲設定部２２６は、必要残充電時間取得部２２１の出力する必要残充電時間Ｔｂを入力する都度、必要残充電時間Ｔｂに基づいて、移動可能範囲を設定する。この移動可能範囲は、バッテリ充電が完了するときにユーザが車両位置に戻ってくることができる範囲を表す。移動可能範囲は、例えば、必要残充電時間Ｔｂを歩行速度で乗算して得られる移動可能距離を半径とした円に設定される。歩行速度は、人の歩く平均速度（例えば、４ｋｍ／時）に設定した固定値を用いても良いし、ユーザが任意に設定した設定値を用いても良い。移動可能範囲設定部２２６は、設定した移動可能範囲を表示制御部２２７に出力する。
【００９６】
表示制御部２２７は、移動可能範囲設定部２２６の出力する移動可能範囲と、車両位置取得部２２２の出力する車両位置と、ユーザ位置取得部２２３の出力するユーザ位置とを入力し、車両位置を基準とした移動可能範囲とユーザ位置との関係を表す情報をディスプレイ２３０に表示する。図９は、このときにディスプレイ２３０に表示される画面Ｇ２を表す。この画面Ｇ２においては、例えば、「バッテリ充電中です。このエリアから外れると充電完了時に車両に戻れません。」というメッセージと、車両位置を表す車両マークＣと、車両位置を中心とした円状の移動可能範囲Ａと、ユーザ位置を表すユーザマークＵとが表示される。この場合、表示制御部２２７は、車両位置とユーザ位置とに基づいて、車両１０とユーザとの間の距離Ｄ（例えば、直線距離）を計算し、車両位置から距離Ｄだけ離れた位置にユーザマークＵを表示する。また、移動可能範囲Ａの半径（この例では３ｋｍ）と、車両１０とユーザとの間の距離Ｄ（この例では２ｋｍ）についても、数値で表示する。
【００９７】
この例では、車両位置から真横に離れた位置にユーザマークＵを表示しているが、ユーザマークＵは、任意の方向に表示してかまわない。例えば、表示制御部２２７は、車両位置を中心に配置した地図をディスプレイ２３０に表示し、この地図上におけるユーザ位置にユーザマークＵを表示するようにしてもよい。この場合においても、地図上に、車両マークＣ、移動可能範囲Ａ、距離情報を表示する。
【００９８】
移動可能範囲Ａは、図１０に示すように、必要残充電時間Ｔｂが短くなっていくにしたがって狭くなっていく。従って、ユーザは、画面Ｇ２に表示される移動可能範囲Ａとユーザ位置との関係から、バッテリ充電の完了前に車両位置に戻ることができる状況であるか否かについて判断することができる。例えば、ユーザマークＵが移動可能範囲Ａに入っている状況であれば、バッテリ充電の完了に間に合うと判断することができる。この場合、移動可能範囲Ａに対してユーザ位置が車両位置に接近しているほど、車両１０に戻るまでの時間的な余裕があると判断することができる。逆に、ユーザ位置が移動可能範囲Ａの境界に接近しているほど、車両１０に戻るまでの時間的な余裕がないと判断することができる。また、ユーザは、数値で表された移動可能範囲Ａの広さ（半径）を表す距離と、車両１０とユーザとの間の距離とに基づいて、バッテリ充電の完了に間に合う余裕の程度を一層適切に把握することができる。従って、移動可能範囲Ａとユーザ位置との関係から、車両に戻るタイミングをユーザ自身で決定することができる。このように、画面Ｇ２に表示された移動可能範囲Ａとユーザ位置との関係は、ユーザが、バッテリ充電が完了するときに車両位置に戻れるように支援する判断支援情報（判断材料）として機能する。
【００９９】
以上説明した第４実施形態によれば、充電中に車両１０から離れているユーザに対して、充電完了時に車両位置に戻ってこられるような適切な情報を提供することができる。これにより、ユーザは、後続の充電待ち車両１０’を気にすることなく、ショッピング等でバッテリ充電時間を有効利用することができる。また、バッテリ充電の完了後においても後続の充電待ち車両１０’を待たせてしまうことを抑制できる。尚、第４実施形態においては、携帯端末２００が本発明の情報提供装置に相当する。
【０１００】
以上、本実施形態に係る情報提供装置を備えた車両情報提供システムについて説明したが、本発明は上記実施形態に限定されるものではなく、本発明の目的を逸脱しない限りにおいて種々の変更が可能である。
【０１０１】
例えば、本実施形態においては、１台の車両１０と１台の携帯端末２００とを対応付けて情報提供を行うようにしているが、例えば、複数のユーザが１台の車両１０を交代で使用する場合には、車両１０を起動したユーザを識別し、その特定されたユーザの所有する携帯端末２００に情報提供を行うようにすればよい。この場合には、例えば、ユーザが個々に所有する車両キーのＩＤとユーザの携帯端末２００のＩＤとを関連付ける関連付け情報を通信ＥＣＵ１１０に予め記憶しておくとよい。通信ＥＣＵ１１０は、車両起動時に車両キーＩＤを読み込んで、バッテリ充電時に、車両キーＩＤに対応した携帯端末２００を選択して通信を行うようにすればよい。
【０１０２】
この場合、第２実施形態においては、待機履歴記憶部１２７は、ユーザ毎に分けて、例えば、車両キーＩＤ毎に分けて、累積待機時間ΣＴｗを記憶するとよい。
【０１０３】
また、第１，第２実施形態においては、必要移動時間Ｔａの計算処理や通知判定処理を車両１０側で行っているが、例えば、車両情報センターに設けられたセンターサーバー４００にて、これらの処理を行うようにしてもよい。ここで、センターサーバー４００にて行う変形例について説明する。車両情報センターは、車両１０から送信される各種の車両情報を収集するとともに、ユーザに対して種々のサービス情報を提供する施設である。車両情報センターに設けられるセンターサーバー４００は、マイクロコンピュータ、大容量記憶装置、通信回路を主要部として備え、その機能に分類すると、図１に示すように、通信回線網３００に接続して通信制御を行う通信制御部４１０と、車両情報を管理する車両管理部４２０と、ユーザ情報を管理するユーザ管理部とから構成される。センターサーバー４００は、車載端末１００から送信された車両ＩＤおよび車両キーＩＤを受信することにより、通信対象となる車両１０およびユーザを特定することができる。ユーザ管理部４３０には、各ユーザに対応付けて携帯端末２００の情報（電話番号、メールアドレス、通信アドレスなど）が記憶されている。従って、センターサーバー４００は、車載端末１００から車両キーＩＤを受信することで、その車両１０のユーザの所有する携帯端末２００に通信することができるようになっている。
【０１０４】
第１，第２実施形態の変形例として、必要移動時間Ｔａの計算処理や通知判定処理をセンターサーバー４００で行う場合、センターサーバー４００に、ユーザ位置取得部１２１、車両位置取得部１２２、必要移動時間計算部１２３、必要残充電時間取得部１２４、通知判定部１２５を設けるようにして、車載端末１００から、車両ＩＤ、車両キーＩＤに加えて、バッテリ充電開始情報、車両位置情報、必要残充電時間情報、充電解除情報をセンターサーバー４００に送信するようにすればよい。この場合、必要残充電時間情報については、所定の周期にて送信する。
【０１０５】
センターサーバー４００は、携帯端末２００からユーザ位置情報を所定の周期で取得して、ユーザ位置と車両位置とから必要移動時間Ｔａを計算し、必要移動時間Ｔａと必要残充電時間Ｔｂとに基づいて帰車メッセージの通知を携帯端末２００に送信する。この場合、必要移動時間Ｔａを計算するために必要となる地図情報は、センターサーバー４００に記憶しておくようにしてもよいし、センターサーバー４００がＷｅｂサービスを利用して取得するようにしてもよい。また、センターサーバー４００に、待機時間計測部１２６、待機履歴記憶部１２７、通知条件変更部１２８を設けて、ユーザ毎に、帰車メッセージの通知条件を変更するようにしてもよい。この場合には、充電完了情報も車載端末１００からセンターサーバー４００に送信する。
【０１０６】
この変形例においても、第１，第２実施形態と同様の作用効果が得られる。また、この変形例によれば、車載端末１００の演算負担が軽くなる。
【０１０７】
また、第１，第２実施形態の変形例として、必要移動時間Ｔａの計算処理や通知判定処理を携帯端末２００で行うようにしてもよい。この場合には、携帯端末２００に、ユーザ位置取得部１２１、車両位置取得部１２２、必要移動時間計算部１２３、必要残充電時間取得部１２４、通知判定部１２５を設け、車載端末１００からバッテリ充電開始情報、車両位置情報、必要残充電時間情報、充電解除情報を携帯端末２００に送信するようにすればよい。また、必要移動時間Ｔａを計算するために必要となる地図情報は、携帯端末２００のメモリ２６０に記憶しておくようにしてもよいし、携帯端末２００がＷｅｂサービスを利用して取得するようにしてもよい。また、携帯端末２００に、待機時間計測部１２６、待機履歴記憶部１２７、通知条件変更部１２８を設けてもよい。
【０１０８】
また、情報提供ＥＣＵ１２０（１２０１）に設けられた機能部１２１〜１２５（１２１〜１２８）を、センターサーバー４００と携帯端末２００とに分配するように構成することもできる。
【０１０９】
また、第３，第４実施形態においても、携帯端末２００の主制御部２２０（２２０１）における機能部の一部をセンターサーバー４００あるいは車載端末１００に分配するように構成することもできる。
【０１１０】
また、第３実施形態においては、必要残充電時間と必要移動時間とを数値を使って情報提供しているが、例えば、帯グラフなど必要残充電時間と必要移動時間とを比較可能に表示したイメージを使って情報提供するようにしてもよい。
【０１１１】
また、第４実施形態においては、移動可能範囲とユーザ位置との関係を、平面的なイメージを使って情報提供しているが、移動可能範囲を表す車両位置からの距離と、車両位置からユーザ位置までの距離とを数値のみを使って情報提供するようにしてもよい。また、帯グラフなど他のイメージを使って、移動可能範囲とユーザ位置との関係を表す情報を提供するようにしてもよい。
【符号の説明】
【０１１２】
１０…車両、２０…バッテリ、６０…受電口、６１…プラグ検出スイッチ、７０…充電器、８０…充電ＥＣＵ、９０…ＳＯＣ検出器、１００…車載端末、１１０…通信ＥＣＵ、１２０，１２０１，１２０２…情報提供ＥＣＵ、１２１，２２３…ユーザ位置取得部、１２２，２２２…車両位置取得部、１２３，２２４…必要移動時間計算部、１２４，２２１…必要残充電時間取得部、１２５…通知判定部、１２６…待機時間計測部、１２７…待機履歴記憶部、１２８…通知条件変更部、２２５，２２７…表示制御部、２２６…移動可能範囲設定部、１３０…ＧＰＳユニット、１４０…記憶ユニット、２００…携帯端末、２１０…通信制御部、２２０，２２０１…主制御部、２３０…タッチパネル式液晶ディスプレイ、２４０…発音部、２５０…ＧＰＳユニット、２６０…メモリ、３００…通信回線網、４００…センターサーバー、４１０…通信制御部、４２０…車両管理部、４３０…ユーザ管理部、５００…給電装置、５１０…充電用ケーブル、５１１…接続プラグ、Ｔａ…必要移動時間、Ｔｂ…必要残充電時間、Ｔｗ…待機時間、α…早め通知時間、β…早め周期係数、ΣＴｗ…累積待機時間。
【図１】
2013186519.tif 000003
【図２】
2013186519.tif 000004
【図３】
2013186519.tif 000005
【図４】
2013186519.tif 000006
【図５】
2013186519.tif 000007
【図６】
2013186519.tif 000008
【図７】
2013186519.tif 000009
【図８】
2013186519.tif 000010
【図９】
2013186519.tif 000011
【図１０】
2013186519.tif 000012